(57)【特許請求の範囲】
【請求項１】
複数の電気導体（３１，３２）を接続するために複数の接続要素（１１）が設けられた第１接続領域（１０）と、プラグインコネクタ（１）に接続される相手コネクタに接触するために少なくとも１個のコンタクト（２１）が設けられた第２接続領域（２０）と、前記第１接続領域の前記接続要素及び前記第２接続領域の前記コンタクトが設けられた上面（４）を有し、前記第１及び第２の接続領域を電気的に相互接続するよう構成されているキャリア基板（３）とを具備するプラグインコネクタ（１）であって、
前記キャリア基板（３）は、下側にプラグイン方向（７０）に前記プラグインコネクタの基準面（４６）を形成するハウジング（４０）に配置され、
前記キャリア基板（３）の前記上面（４）は、前記基準面（４６）に関して傾いて配置され、
前記電気導体（３１，３２）に接続するためにそれぞれ設けられた前記複数の接続要素（１１）が、前記第１接続領域（１０）に配列され、
前記接続要素（１１）は、前記プラグイン方向（７０）に沿って縦一列に配置され、前記プラグイン方向（７０）に対して横断する方向に延びる少なくとも２列（１５，１６）に前記キャリア基板（３）上に配列され、
接続される際に、第１列（１５）の前記接続要素（１１）に接続された前記電気導体（３１）のいくつかは、第２列（１６）の前記接続要素上に案内されることを特徴とするプラグインコネクタ。
【請求項２】
該キャリア基板（３）の前記上面（４）が前記第２接続領域（２０）の方向へ前記第１接続領域（１０）から始まる前記プラグイン方向（７０）に沿って前記基準面（４６）に対して上昇して傾斜するように、前記キャリア基板（３）が前記ハウジング（４０）内に配置されることを特徴とする請求項１記載のプラグインコネクタ。
【請求項３】
前記キャリア基板（３）は、前記基準面（４６）に対して傾斜して配置されると共に前記キャリア基板の前記上面（４）を形成する印刷回路基板（３）を有することを特徴とする請求項１又は２記載のプラグインコネクタ。
【請求項４】
前記電気導体（３１，３２）に接続するためにそれぞれ設けられた複数の接続要素（１１）が、前記第１接続領域（１０）に配列され、
前記接続要素（１１）のうち少なくとも２個は、前記プラグイン方向（７０）に沿った前記キャリア基板（３）上に縦一列に配列されることを特徴とする請求項１ないし３のうちいずれか１項記載のプラグインコネクタ。
【請求項５】
前記電気導体（３１，３２）の各々を接続するための前記接続要素として、圧接コンタクト（１１）が設けられていることを特徴とする請求項１ないし４のうちいずれか１項記載のプラグインコネクタ。
【請求項６】
前記相手コネクタに接触するための前記コンタクト（２１）は、前記プラグイン方向（７０）に沿って延びると共に前記相手コネクタのばねコンタクトが接触するよう構成された接触面（２２）を有することを特徴とする請求項１ないし５のうちいずれか１項記載のプラグインコネクタ。
【請求項７】
複数の前記電気導体（３１，３２）を固定することができる押圧デバイス（６）が設けられ、
該押圧デバイスは、該押圧デバイスに固定された前記電気導体を、電気接触のために対応する数及び配列の前記接続要素（１１）に一緒に押圧するよう構成されていることを特徴とする請求項１ないし６のうちいずれか１項記載のプラグインコネクタ。
【請求項８】
前記押圧デバイス（６）は、前記プラグイン方向（７０）に対して横断する方向に互いに平行に案内される前記電気導体（３１，３２）を架橋する一様なブロック（６０）として構成され、前記電気導体を固定するための平行な凹部（６１）を具備することを特徴とする請求項７記載のプラグインコネクタ。
【請求項９】
前記押圧デバイス（６）は、前記ハウジング（４０）に対して回転可能に固定することができると共に、前記接続要素（１１）上に前記電気導体（３１，３２）を押圧するために、前記ハウジング（４０）に対して回転運動可能であることを特徴とする請求項７又は８記載のプラグインコネクタ。
【請求項１０】
前記プラグインコネクタは、前記第２接続領域（２０）がＲＪ４５接続システムとして構成されていることを特徴とする請求項１ないし８のうちいずれか１項記載のプラグインコネクタ。
【請求項１１】
請求項１ないし８のうちいずれか１項記載のプラグインコネクタ（１）に複数の電気導体（３１，３２）を接続する方法であって、
前記電気導体（３１，３２）の各々に接続するためにそれぞれ設けられた複数の接続要素（１１）が、前記プラグインコネクタ（１）の前記第１接続領域（１０）に配列され、
前記接続要素（１１）は、前記プラグイン方向（７０）に沿って縦一列に配置され、前記プラグイン方向（７０）に対して横断する方向に延びる少なくとも２列（１５，１６）に前記キャリア基板（３）上に配列され、
前記プラグインコネクタは、前記電気導体（３１，３２）を固定要素（６２，６３）により固定する押圧デバイス（６）を具備し、
該押圧デバイスは、該押圧デバイスに固定された前記電気導体を、電気接触のために対応する数及び配列の前記接続要素（１１）に一緒に押圧するよう構成されており、
前記電気導体の端部をその後切断することなく、第１列の前記固定要素（６２）に第１の数の個別電気導体（３１）を導入する工程と、
前記電気導体の端部をその後切断することなく、前記第１列の固定要素（６２）よりも前記押圧デバイス（６）の導体側端部に接近して配置される第２列の前記固定要素（６３）に第２の数の個別電気導体（３２）を導入する工程と、
各々の前記接続要素（１１）に前記電気導体（３１，３２）を接続するために、前記押圧デバイス（６）を前記接続要素（１１）に押圧する工程と
を具備することを特徴とする、プラグインコネクタに複数の電気導体を接続する方法。
【発明の詳細な説明】
【技術分野】
【０００１】
本発明は、少なくとも１本の電気導体を接続するために少なくとも１個の接続要素が設けられた第１接続領域、プラグイン（差込み式）コネクタに接続される相手コネクタに接触するために少なくとも１個のコンタクトが設けられた第２接続領域、及び接続要素及びコンタクトが設けられ、第１及び第２の接続領域を電気的に相互接続するキャリア基板を具備するプラグインコネクタに関する。
【背景技術】
【０００２】
この種のプラグインコネクタ及び対応するプラグイン接続システムは、例えばいわゆるＲＪ４５プラグインコネクタ又はＲＪ４５接続システム等として公知である。この種のプラグインコネクタは、例えば対応するソケット又はプラグイン結合部の形態で、例えばケーブルの電気導体を対応する相手コネクタに接続するために使用される。この種のプラグインコネクタの端面に設けられるのは、相手コネクタの相手コンタクトと接触するためのコンタクトである。ケーブルの電気導体は、ケーブル側接続領域の対応する数の接続要素に接続されるが、第２のプラグイン側接続領域に設けられるのは、相手コネクタの対応する相手コンタクトに接触するために使用されるコンタクトである。電気導体及びコンタクトを接続するための接続要素は、ケーブル側接続領域及びプラグイン側接続領域を電気的に相互接続するキャリア基板上に配置されるのが通常である。
【先行技術文献】
【特許文献】
【０００３】
【特許文献１】特開２００６−４９３２５号公報
【特許文献２】米国特許第５０８０６０９号明細書
【特許文献３】独国特許出願公開第４３２１３３１号明細書
【発明の概要】
【発明が解決しようとする課題】
【０００４】
この種のキャリア基板は、例えばプラグインコネクタのハウジングに水平方向に挿入される印刷回路基板として構成される。これは、プラグインコネクタのハウジングが平坦である場合、接続要素がケーブルの電気導体に接続される印刷回路基板上の接続空間が比較的小さいという点で、不利な効果を有する。ケーブルの電気導体を接続するための接続要素としての特に圧接コンタクトを使用すると、圧接コンタクトの接触脚すなわちばね脚（圧接部）を比較的短くしなければならないという不都合がある。これは特に、複数の圧接コンタクトがケーブル側接続領域で縦一列に配列される結果、プラグインコネクタのケーブル側端部により接近して配置される圧接コンタクト上に、圧接コンタクトに接続するための電気導体をプラグインコネクタの中央領域内に案内しなければならない場合である。プラグインコネクタのケーブル側端部に設けられた圧接コンタクト上にこれらの電気導体を案内できるようにするために、ハウジングの垂直方向の広さが大きくならない場合には、圧接コンタクトは比較的小さくならなければならない。
【０００５】
他方、プラグインコネクタの構成は、キャリア基板が側面視で段状に形成されることでも公知である。この実施形態において、プラグインコネクタのケーブル側端部に設けられた圧接コンタクトは、プラグイン方向下流に配列された圧接コンタクトの列よりも低い平面に配列されている。これは、上述の圧接コンタクトに接続される電気導体がプラグインコネクタのケーブル側端部にある圧接コンタクト上に案内することができるという利点を有する。しかし、この実施形態も同様に、段状のキャリア基板が比較的大きな取付空間を要し、その結果、圧接コンタクトを比較的小さくしなければならないので、比較的小さな空間しか利用することができない。
【０００６】
この点について、短い構成の圧接コンタクトは、圧接コンタクトの比較的短いばね脚という条件により、比較的低い複数の接触のみが可能であり、接触信頼性が比較的低いという不利を有する。この点に関し、比較的短いばね脚は弾性が小さいので、圧接コンタクト上での電気導体の接触及び接触解除を繰り返すと、接触の質が落ち、接触工程の数が増加すると接触信頼性が減少するという結果になる。
【０００７】
本発明は、ケーブルの電気導体がプラグインコネクタの接続要素と繰り返し接触する場合であっても、比較的高い接触信頼性を有する、最初に述べたタイプのプラグインコネクタを提供することを目的とする。
【課題を解決するための手段】
【０００８】
本発明は、請求項１に記載された特徴を有するプラグインコネクタに関する。本発明はまた、請求項１３に記載された特徴を有する、プラグインコネクタに複数の電気導体を接続する方法に関する。
【０００９】
本発明に従ったプラグインコネクタは、少なくとも１本の電気導体を接続するために少なくとも１個の接続要素が設けられた第１接続領域と、プラグインコネクタに接続される相手コネクタに接触するために少なくとも１個のコンタクトが設けられた第２接続領域とを具備する。さらに、プラグインコネクタは、第１接続領域の接続要素及び第２接続領域のコンタクトが設けられた上面を有するキャリア基板を具備する。キャリア基板は、第１及び第２の接続領域を電気的に相互接続するよう構成されている。キャリア基板は、下側にプラグイン方向にプラグインコネクタの基準面を形成するハウジングに配置される。キャリア基板の上面は、基準面に関して傾いて配置される。
【００１０】
この点に関し、本発明は、キャリア基板の上面の傾いた配置により、電気導体が接続要素と繰り返し接触する場合であっても、接触信頼性を増大させるよう比較的長いばね脚を有する接続要素を挿入することができるようにするために、キャリア基板上により多くの取付空間が得られるという利点を有する。このため、キャリア基板の傾斜面上の第１接続領域にプラグインコネクタの接続要素を配置することが可能であるので、結果として、接続要素はプラグイン方向に沿った縦一列に配列することができる。この配列により、プラグインコネクタの導体接続側に配置された接続要素上に比較的容易に導体を案内することができるので、個別の電気導体がプラグインコネクタの一方向のみ及び／又は一側のみから容易に挿入することができる。
【００１１】
キャリア基板の上面が傾いて配置されることにより、プラグインコネクタの導体側接続領域において、利用可能な空間の割合を最大にすることができる。このため、例えば圧接コンタクトとして構成された接続要素は、良好な接触信頼性をもってばね脚すなわち圧接接続部の再利用を可能にする、比較的長いばね脚で構成することができる。さらに、このように構成された接続要素はまた、寸法が異なり且つ異なる断面積を有する電気導体と接触するために使用することができるので、比較的大きな導体断面積を使用することを可能にする。
【００１２】
本発明の一実施形態によれば、第２接続領域の方向へ第１接続領域から始まるプラグイン方向に沿って基準面に対してキャリア基板の上面が上昇して傾斜するように、キャリア基板がハウジング内に配置される。このため、電気導体を十分に長い接続要素に接続するために、必要であれば別の列の接続要素に接続するために接続要素の導体側列上に電気導体を案内するために、プラグインコネクタの導体側接続領域に比較的大きな取付空間が利用可能である。
【００１３】
本発明の別の一実施形態によれば、キャリア基板は、例えば平坦であり、キャリア基板の上面を形成する印刷回路基板からなる。
【００１４】
例えば、第１接続領域に配列されるのは、各電気導体に接続するためにそれぞれ設けられた複数の接続要素である。少なくとも２個の接続要素は、プラグイン方向に沿ったキャリア基板上に縦一列に配列される。このため、接続要素は、プラグイン方向に向かって傾斜した平面上に配置されるので、一方向のみ及び／又は一側のみから比較的容易に個別の導体を挿入することができる。
【００１５】
例えば、接続要素は、プラグイン方向に沿って縦一列に配置され、プラグイン方向に対して横断する方向に延びる少なくとも２列にキャリア基板上に配列される。本実施形態によれば、接続される際に、プラグインコネクタの中央の方向に沿った第１列の接続要素に接続された電気導体のいくつかは、プラグインコネクタの導体側に配置された第２列の接続要素上に案内することができる。
【００１６】
上述したように、接続要素は圧接コンタクトとして構成することができる一方、一実施形態によれば、相手コネクタに接触するためのコンタクトは、プラグイン方向に沿って延びると共に相手コネクタのばねコンタクトが接触するよう構成された接触面を有する。
【００１７】
本発明の発展形において、複数の電気導体を固定することができる押圧デバイスを設けることができる。押圧デバイスは、押圧デバイスに固定された電気導体を電気接触のために対応する数及び配列の接続要素に一緒に押圧するよう構成されている。
【００１８】
例えば、押圧デバイスは、プラグイン方向に対して横断する方向に互いに平行に案内される電気導体を架橋する一様なブロックとして構成され、電気導体を固定するための平行な凹部を具備する。一実施形態によれば、押圧デバイスは、プラグインコネクタのハウジングに対して回転可能に固定することができる。押圧デバイスは、接続要素上に電気導体を押圧するために、ハウジングに対して回転運動可能である。これにより、プラグインコネクタの接続要素と接触するための、電気導体の比較的簡単な組立が可能になる。
【００１９】
本発明の更なる実施形態及び発展形は、従属請求項で特定される。
【図面の簡単な説明】
【００２０】
【図１】本発明の典型的な一実施形態に従ったプラグインコネクタを示す断面図である。
【図２】電気導体が接続要素と接触するようになる前の状態の図１のプラグインコネクタを示す斜視図である。
【図３】本発明の典型的な一実施形態に従って接続要素及びコンタクトが配列された印刷回路基板の形態のキャリア基板を示す側面図である。
【図４】図１ないし図３の典型的な実施形態に従ったプラグインコネクタの斜視図である。
【図５】図１ないし図３の典型的な実施形態に従ったプラグインコネクタの斜視図である。
【図６】図１ないし図３の典型的な実施形態に従ったプラグインコネクタの斜視図である。
【図７】図１ないし図３の典型的な実施形態に従ったプラグインコネクタの斜視図である。
【図８】本発明に従ったプラグインコネクタが接触することができる電気導体を有するケーブルの実施形態を示す斜視図である。
【図９】本発明に従ったプラグインコネクタが接触することができる電気導体を有するケーブルの別の実施形態を示す斜視図である。
【発明を実施するための形態】
【００２１】
以下、図示された本発明の実施形態である図面を参照して、本発明を詳細に説明する。
【００２２】
図１は、本発明に従ったプラグインコネクタの典型的な一実施形態を示す断面図である。図１に示されたプラグインコネクタ１は、図４ないし図７を参照して以下に詳細に説明するように、複数のハウジング部品から形成されたハウジング４０を有する。特に、ハウジング４０は、ＲＪ４５接続システムとして本実施形態で構成された、プラグイン面を形成する前ハウジング部４３を有する。対応する相手コネクタに接触するための、前ハウジング部４３の内側に配列されたコンタクトは、図１に図示されていない。従来のＲＪ４５ロックデバイス４７は、例えば、ハウジング部４３の下側に配置される。また、ハウジング４０の下側は、プラグイン方向７０に沿ってほぼ直線的な基準面４６を形成する。
【００２３】
プラグインコネクタ１のハウジング４０内に配置されるのは、印刷回路基板の形態であるキャリア基板３である。キャリア基板３上には、例えば電気ケーブルである長い電気導体と接触するための接続要素１１と、プラグインコネクタ１に接続される相手コネクタと接触するためのコンタクト２１（図３参照）とが位置する。このようにして、プラグインコネクタ１には、２個の接続領域１０，２０、すなわち、接続要素１１が位置する第１接続領域１０と、相手コネクタと接触するためのコンタクト２１が位置する第２接続領域２０とが形成されている。
【００２４】
図１及び図３を共に見ると明らかになるように、印刷回路基板３は、第１接続領域１０の接続要素１１及び第２接続領域２０のコンタクト２１が設けられた直線面すなわち平面４を形成する。この点に関し、回路基板３は、例えば回路基板３に設けられた回路パターン（図示せず）を対応させることにより、第１接続領域１０を第２接続領域２０に電気的に接続するように構成されている。これらの回路パターンは、特に所定の図表に従って、この場合にはＲＪ４５接続システムを形成するように、接続要素１１をコンタクト２１にそれぞれ接続する。
【００２５】
第１接続領域１０に位置するのは、各電気導体をそれぞれ接続するために設けられた圧接コンタクトの形態である複数の接続要素１１である。本実施形態において、圧接コンタクト１１は、回路基板３上にプラグイン方向７０に沿って縦一列に位置し、且つ、プラグイン方向に対して直交する横断方向に延びる２列１５，１６に配置される。相手コネクタに接触するためのコンタクト２１はそれぞれ、プラグイン方向７０に沿って延び且つ相手コネクタの対応するばねコンタクトと接触するよう構成された直線的な接触面２２を有する。プラグイン方向７０に沿ってほぼ水平方向に延びる接触面２２は、回路基板３に対して直交して延びる接触部２３により、回路基板に接続される。
【００２６】
圧接コンタクト１１及びコンタクト２１が配置される回路基板３又はその上面すなわち平面４は、プラグインコネクタのプラグイン方向７０に沿って延びる基準面４６に対して傾いた位置にある。特に、回路基板３又はその上面４は、基準面４６に対して鋭角の傾斜角度αで傾斜している。例えば、回路基板３の下側は、図１に示されるように第１接続領域１０でハウジング４０の下部に接触する。回路基板３の上面４は、第２接続領域２０の方向に第１接続領域１０から始まるプラグイン方向７０に沿って基準面４６に対して上昇して傾斜する。換言すると、回路基板３の上面４は、プラグイン方向７０に沿って基準面４６からの距離が特に連続的且つ直線的に大きくなる。この結果、第２接続領域２０において、コンタクト２１は、対応するＲＪ４５プラグイン表面を形成することができるように、基準面４６に対して垂直方向の所定高さ位置にある。
【００２７】
このため、プラグインコネクタ１における圧接コンタクト１１は、導体側接続領域１０から始まるプラグインコネクタの基準面４６に対して上昇して傾斜する傾斜上面すなわち傾斜平面４上に位置する。この結果、圧接コンタクト１１は、第１列１５及び第２列１６の縦一列に配置することができ、好ましくはＲＪ４５プラグイン接続の場合に、個別導体を（例えば、図１のプラグインコネクタ１を上から見たときに）一方向のみから及び／又は一側のみから容易に挿入することができる。回路基板３又はその上面４の傾斜配置により取付空間が増大するので、プラグインコネクタの導体接続領域における利用可能な空間の割合を最大にすることが可能になる。これは、圧接コンタクト１１を比較的高い又は比較的長いばね脚であるように構成でき、この結果、弾性が増大し、圧接コンタクト１１が繰り返し接触する場合であっても接触信頼性が増大する利点をもたらす。これはまた、圧接コンタクト１１のばね性能が改善されることにより、温度変化の環境下での接触信頼性を改善する結果となる。
【００２８】
再利用可能性の改善に加えて、本発明のプラグインコネクタは、比較的長い圧接コンタクトにより、接触される電気導体の使用可能な導体断面積を増大させることができることを特徴とする。この点に関し、図８及び図９は、異なる導体断面積を有する電気導体３３，３４を有する２本の異なるケーブル２の実施形態を示す。図９のケーブル２は、特に「４スター」として一般的に知られているタイプのネットワークセクター用の例えばデータケーブルであってもよい。また、プラグインコネクタは、図９のケーブルの導体３４よりも小さな導体断面積を有する８本の電気導体３３を有する例えば８極工業ケーブルとして構成された図８のケーブル２と共に使用することができる。図８のケーブルの電気導体３３は、４本の導体３３が第１列１５の圧接コンタクト１１に接続され、その他の４本の電気導体３３が第２列１６の圧接コンタクト１１に接続されるように、プラグインコネクタ１に接続される。プラグインコネクタ１の第１接続領域１０における取付空間５が増大した結果、図８のケーブルの電気導体３３及び図９のケーブルのより大きな導体断面積を有する電気導体３４も接触可能であるように、対応する長さを有する圧接コンタクト１１を使用することが可能である。
【００２９】
電気ケーブル２の電気導体と接触するようになった本発明に従ったプラグインコネクタのこれまで説明した実施形態の構成を、図４ないし図７を参照して詳細に説明する。
【００３０】
図４には、典型的な実施形態に従ったプラグインコネクタ１が完成品の形態で図示されている。ケーブル２の電気導体は、図４に図示されていない接続要素１１と接触している。プラグインコネクタ１のハウジング４０は、複数のハウジング部４１〜４４を有する。上ハウジング部４１は、以下の詳細に説明するが図４に図示されていない押圧デバイスに下側が接続された例えばシールド板４１により形成される。ハウジング４０はまた、プラグインコネクタ１のプラグイン面を形成する既述の前ハウジング部４３と同様に、横ハウジング部４２を有する。前ハウジング部４３に設けられているのは、プラグイン方向と平行に延び且つ相手コネクタの対応するばねコンタクトと接触するための密に隣接する開口、例えばソケット又は結合部を形成する開口４４である。コンタクト２１の接触面２２は、図３を参照して説明したように、開口４４でアクセス可能である。
【００３１】
図５は、図４に従った図を示し、押圧デバイスと共に上ハウジング部４１が、以下に説明されるように除去されている。本実施形態において、ケーブル２は８本の電気導体３１，３２を有し、第１列の個別導体３１は、プラグインコネクタ１の第１列１５の圧接コンタクト１１に接続されている。第２列の個別導体３２は、プラグインコネクタ１の第２列１６の圧接コンタクト１１に接続されている。
【００３２】
図６は、図５と比較して横ハウジング部４２が除去された図を示す。図６は、第１列１５の圧接コンタクト１１と接触するようになるために、第１列の個別導体３１がどのように第２列１６の圧接コンタクト１１上に離れて案内されるかを明確に示す。図６はまた、下面に、プラグインコネクタのプラグイン方向に延びる基準面４６を形成する下ハウジング部４５を示す。
【００３３】
図７はまた、ケーブル２が接続され、ハウジング部４３が除去された状態のプラグインコネクタ１を示す図である。図７は、圧接コンタクト１１が位置するケーブル接続領域から始まる基準面４６に関して上昇して配置される回路基板３の傾斜配置を明確に示す。圧接コンタクト１１及びコンタクト２１が位置する回路基板３又は上面すなわち平面４の上昇配置により、ケーブル接続領域の取付空間を増大することが可能になるので、この目的のために圧接コンタクト１１の長さを短くすることなく、第１列の個別導体３１を第２列１６の圧接コンタクト１１上に案内することができる。さらに、第１列１５の圧接コンタクト１１のために比較的大きな取付空間が利用できるので、圧接コンタクト１１は比較的長く構成することができる。
【００３４】
図４ないし図７と共に図２を参照する以下の説明は、本発明の一実施形態に従ったケーブル２の電気導体をどのようにプラグインコネクタ１に接触させることができるかを説明するものである。
【００３５】
図２に示されるように、この目的のために、複数の電気導体、すなわち上述した第１列の個別導体３１及び第２列の個別導体３２を固定できる、押圧デバイス６が設けられる。「電線ガイド」としても知られている押圧デバイス６は、プラグイン方向に対して横断する方向に互いに平行に案内された電気導体３１，３２を架橋し、電気導体を固定するための平行な凹部６１が設けられた一様なブロック６０を有する。この目的のために、凹部６１に設けられるのは、個別導体３１，３２が挿入され固定される固定要素６２，６３である。このため、押圧デバイス６は、個別電線３１，３２を案内するよう機能すると共に、同時に圧接コンタクト１１に電線を押圧するための一種のプランジャーである。
【００３６】
また、押圧デバイス６は、プラグインコネクタのハウジング４０の横ハウジング部４２にヒンジ６４により固定されている。押圧デバイス６はヒンジ６４により旋回することができ、図２は、個別導体３１，３２を導入するために、押圧デバイス６が旋回して開いた状態を示す。プラグインコネクタのハウジングに対して押圧デバイス６の回転運動は個別導体３１，３２を圧接コンタクト１１に押圧するので、これらの圧接コンタクト１１は個別導体の絶縁物を貫通し、個別導体の下層の芯線に接触する。電気導体は、プランジャーの圧力により、圧接コンタクトにしっかりと固定される。
【００３７】
以下では、本発明の実施形態に従ったプラグインコネクタ１に個別導体３１，３２を接続する方法について詳細に説明する。プラグインコネクタは、以下の手順で組み立てられる。
【００３８】
最初に、第１列１５の圧接コンタクト１１に接続される個別の電気導体３１が、そのようにする際に導体の突出端部がその後切断されることなく、第１列の固定要素６２に挿入すなわち導入される。換言すると、導体３１は、導体の突出端部がないように導入され、個別導体が導入される前に、ケーブルが正しい長さに切断される。次に、電気導体３２は、押圧デバイス６の第２列の固定要素６３に導入すなわち挿入され、個別導体が圧接コンタクトに接触するようになる前に、導体の突出端部がその後切断される。この点に関し、第２列の固定要素６３は、第１列６２よりも押圧デバイス６の導体側端部に接近して配置される。例えばブロック本体６０内に個別導体を適切に固定することにより、固定が行なわれる。押圧デバイス６に個別導体３１，３２が固定された後、圧接コンタクトにより電線に電気的接触するよう圧接コンタクトに個別導体を押圧するために、押圧デバイス６が圧接コンタクト１１の方向に旋回し、或いは、圧接コンタクト１１が押圧デバイス６の方向に沿ってハウジングの下側で旋回する。この点に関し、図４は、押圧デバイス６がプラグインコネクタのハウジングの残余部分と共に旋回し、電気導体が圧接コンタクトにより接触される状態を示す。
【００３９】
本発明に従ったプラグインコネクタ内に斜めに配置された回路基板の使用は、プラグインコネクタの構造を小型にし、例えばケーブルである長い電気導体の電気的接触が後端で可能であり、ＲＪ４５プラグとして先端を構成することが可能である。回路基板は、電気導体に接続するため、及び相手コネクタと接触するよう前接触面を形成するために、同時に使用される。上述の説明は、本発明の典型的な一実施形態を示すが、この実施形態に限定されない。例えば、板状の回路基板の代わりに、一般的には、上述のコンタクト及び接続要素が設けられた傾斜上面すなわち傾斜平面を有する任意のタイプのキャリア基板を使用することができる。
【符号の説明】
【００４０】
１          プラグインコネクタ
３          キャリア基板
４          上面
６          押圧デバイス
１０        第１接続領域
１１        接続要素
１５        第１列
１６        第２列
２０        第２接続領域
２１        コンタクト
２２        接触面
３１，３２  電気導体
４０        ハウジング
４６        基準面
６１        凹部
６２，６３  固定要素
７０        プラグイン方向
【図１】
0005388190.tif 000002
【図２】
0005388190.tif 000003
【図３】
0005388190.tif 000004
【図４】
0005388190.tif 000005
【図５】
0005388190.tif 000006
【図６】
0005388190.tif 000007
【図７】
0005388190.tif 000008
【図８】
0005388190.tif 000009
【図９】
0005388190.tif 000010